(57)【要約】【課題】  所定日数経過する毎に、ネットワークを介してサーバに蓄積されている最新情報データをダウンロードして、再生停止時に、ダウンロードされた最新情報データを画面に表示することができるようにする。【解決手段】  所定日数経過する毎に、ネットワークを介してサーバに蓄積されている最新情報をダウンロードし、ダウンロードされた最新情報を記憶して、再生停止時に、予め設定されたメッセージを所定時間表示し、情報データの表示時間が所定時間経過する毎に、記憶されている情報データを順次切り替えて画面に表示して、メッセージの表示と記憶されている情報データの表示とを繰り返すようにする。【選択図】        図１
2007179619.tif 000002
【特許請求の範囲】
【請求項１】
光ディスクに記録された映像音声データを再生するディスク再生装置であって、
所定日数経過する毎に、ネットワークを介してサーバに蓄積されている最新情報をダウンロードするダウンロード手段と、前記ダウンロード手段によりダウンロードされた最新情報を記憶する記憶手段と、再生停止時に、予め設定されたメッセージを所定時間表示する第１の表示手段と、情報データの表示時間が所定時間経過する毎に、前記記憶手段に記憶されている情報データを順次切り替えて画面に表示する第２の表示手段と、前記第１の表示手段によるメッセージの表示と前記第２の表示手段による前記記憶手段に記憶されている情報データの表示とを繰り返す制御手段と、画面に表示された情報データの上方向スクロールを指令する上方向スクロール指令手段と、前記上方向スクロール指令手段により上方向スクロールが指令されたとき、画面に表示された情報データを画面の上方向にスクロールする上方向スクロール手段と、画面に表示された情報データの下方向スクロールを指令する下方向スクロール指令手段と、前記下方向スクロール指令手段により下方向スクロールが指令されたとき、画面に表示された情報データを画面の下方向にスクロールする下方向スクロール手段と、次の情報データの表示を指令する次情報表示指令手段と、前記次情報表示指令手段により次の情報データの表示が指令されたとき、画面に表示された情報データが前記記憶手段に記憶されている最終情報データでない場合、前記記憶手段に記憶されている次の情報データを画面に表示し、画面に表示された情報データが前記記憶手段に記憶されている最終情報データである場合、予め設定されたメッセージを画面に表示する第３の表示手段と、前の情報データの表示を指令する前情報表示指令手段と、前記前情報表示指令手段により前の情報データの表示が指令されたとき、前記記憶手段に記憶されている前の画面に表示された情報データを画面に表示する第４の表示手段とを備えたことを特徴とするディスク再生装置。
【請求項２】
光ディスクに記録された映像音声データを再生するディスク再生装置であって、
所定日数経過する毎に、ネットワークを介してサーバに蓄積されている最新情報をダウンロードするダウンロード手段と、前記ダウンロード手段によりダウンロードされた最新情報を記憶する記憶手段と、再生停止時に、予め設定されたメッセージを所定時間表示する第１の表示手段と、情報データの表示時間が所定時間経過する毎に、前記記憶手段に記憶されている情報データを順次切り替えて画面に表示する第２の表示手段と、前記第１の表示手段によるメッセージの表示と前記第２の表示手段による前記記憶手段に記憶されている情報データの表示とを繰り返す制御手段とを備えたことを特徴とするディスク再生装置。
【請求項３】
画面に表示された情報データの上方向スクロールを指令する上方向スクロール指令手段と、前記上方向スクロール指令手段により上方向スクロールが指令されたとき、画面に表示された情報データを画面の上方向にスクロールする上方向スクロール手段とを更に備えたことを特徴とする請求項２記載のディスク再生装置。
【請求項４】
画面に表示された情報データの下方向スクロールを指令する下方向スクロール指令手段と、前記下方向スクロール指令手段により下方向スクロールが指令されたとき、画面に表示された情報データを画面の下方向にスクロールする下方向スクロール手段とを更に備えたことを特徴とする請求項２記載のディスク再生装置。
【請求項５】
次の情報データの表示を指令する次情報表示指令手段と、前記次情報表示指令手段により次の情報データの表示が指令されたとき、画面に表示された情報データが前記記憶手段に記憶されている最終情報データでない場合、前記記憶手段に記憶されている次の情報データを画面に表示し、画面に表示された情報データが前記記憶手段に記憶されている最終情報データである場合、予め設定されたメッセージを画面に表示する第３の表示手段とを更に備えたことを特徴とする請求項２記載のディスク再生装置。
【請求項６】
前の情報データの表示を指令する前情報表示指令手段と、前記前情報表示指令手段により前の情報データの表示が指令されたとき、前記記憶手段に記憶されている前の画面に表示された情報データを画面に表示する第４の表示手段とを更に備えたことを特徴とする請求項２記載のディスク再生装置。
【発明の詳細な説明】
【技術分野】
【０００１】
本発明は、光ディスクに記録された映像音声データを再生するディスク再生装置に係り、特に光ディスクの再生停止時に、情報データを表示することができるディスク再生装置に関する。
【背景技術】
【０００２】
最近、少子化問題の現状、少子化問題の対策等の情報がテレビ放送や新聞等のマスコミを通じて報じられている。しかし、ＤＶＤ（Ｄｉｇｉｔａｌ  Ｖｅｒｓａｔｉｌｅ  Ｄｉｓｃ）等の光ディスクを再生するディスク再生装置には、そのような少子化問題等に関する情報をユーザに提供するようにはなっていなかった。そのため、ユーザが少子化問題等に関する最新情報を知ろうとすると、テレビ放送や新聞などのマスコミを通じて入手するしか方法がないという問題点があった。また、コンピュータを政府の公式サイト等のサーバにインタネットを介して接続し、政府の公式サイト等に開示されている少子化問題等に関する情報を閲覧することができる。しかし、政府の公式サイト等に開示されている少子化問題等に関する最新情報を閲覧したい場合、その都度、コンピュータを政府の公式サイト等のサーバにインタネットを介して接続し、政府の公式サイト等に開示されている少子化問題等に関する最新情報を閲覧しなければならないという問題点があった。
背景技術としては、光ディスクから再生された映像を背景画として取り込んで、再生を停止しているときに、取り込まれた背景画を表示するようにしたものがあった（例えば、特許文献１参照）。
また、光ディスクから再生された映像を静止画データとして取り込んで、再生を停止しているときに、取り込まれた複数の静止画データを所定時間毎に変更して表示するようにしたものがあった（例えば、特許文献２参照）。
また、光ディスクの映像音声データの再生が終了したときに、ＥＸＩＴコマンドが実行されたとき、或いは、次に再生する映像音声データが光ディスクに存在しないとき、メニュ画面等の予め設定された後続処理を行うようにしたものがあった（例えば、特許文献３参照）。
【特許文献１】特開２００１−３３２００６号公報
【特許文献２】実用新案登録第３０９６０８７号公報
【特許文献３】特開２００４−５５０８３号公報
【発明の開示】
【発明が解決しようとする課題】
【０００３】
しかしながら、背景技術で述べたもののうち最初のものにおいては、光ディスクから再生された映像を背景画として取り込んで、再生を停止しているときに、取り込まれた背景画を表示することができたが、光ディスクの再生停止時に、光ディスクに記録されている映像を背景画として表示するようにしたものであって、上記問題点を解決するようにしたものではなかった。
また、次のものにおいては、光ディスクから再生された映像を静止画データとして取り込んで、再生を停止しているときに、取り込まれた複数の静止画データを所定時間毎に変更して表示することができたが、上記同様、光ディスクに記録されている映像を静止画として表示するようにしたものであって、上記問題点を解決するようにしたものではなかった。
また、更にその次のものにおいては、光ディスクの映像音声データの再生が終了したときに、ＥＸＩＴコマンドが実行されたとき、或いは、次に再生する映像音声データが光ディスクに存在しないとき、メニュ画面等の予め設定された後続処理を行うことができたが、ＥＸＩＴコマンドが実行されたとき、或いは、光ディスクの再生が終了したとき、メニュ画面等の予め設定された後続処理を行うようにしたものであって、上記問題点を解決するようにしたものではなかった。
本発明は、背景技術の有するこのような問題点に鑑みてなされたものであり、その目的とするところは、所定日数経過する毎に、ネットワークを介してサーバに蓄積されている最新情報データをダウンロードして、再生停止時に、ダウンロードされた最新情報データを画面に表示することができるディスク再生装置を提供しようとするものである。
【課題を解決するための手段】
【０００４】
上記目的を達成するため本発明においては、光ディスクに記録された映像音声データを再生するディスク再生装置であって、所定日数経過する毎に、ネットワークを介してサーバに蓄積されている最新情報をダウンロードするダウンロード手段と、前記ダウンロード手段によりダウンロードされた最新情報を記憶する記憶手段と、再生停止時に、予め設定されたメッセージを所定時間表示する第１の表示手段と、情報データの表示時間が所定時間経過する毎に、前記記憶手段に記憶されている情報データを順次切り替えて画面に表示する第２の表示手段と、前記第１の表示手段によるメッセージの表示と前記第２の表示手段による前記記憶手段に記憶されている情報データの表示とを繰り返す制御手段とを備える。
更に、画面に表示された情報データの上方向スクロールを指令する上方向スクロール指令手段と、前記上方向スクロール指令手段により上方向スクロールが指令されたとき、画面に表示された情報データを画面の上方向にスクロールする上方向スクロール手段とを備える。
更に、画面に表示された情報データの下方向スクロールを指令する下方向スクロール指令手段と、前記下方向スクロール指令手段により下方向スクロールが指令されたとき、画面に表示された情報データを画面の下方向にスクロールする下方向スクロール手段とを備える。
更に、次の情報データの表示を指令する次情報表示指令手段と、前記次情報表示指令手段により次の情報データの表示が指令されたとき、画面に表示された情報データが前記記憶手段に記憶されている最終情報データでない場合、前記記憶手段に記憶されている次の情報データを画面に表示し、画面に表示された情報データが前記記憶手段に記憶されている最終情報データである場合、予め設定されたメッセージを画面に表示する第３の表示手段とを備える。
更に、前の情報データの表示を指令する前情報表示指令手段と、前記前情報表示指令手段により前の情報データの表示が指令されたとき、前記記憶手段に記憶されている前の画面に表示された情報データを画面に表示する第４の表示手段とを備える。
これらの手段により、所定日数経過する毎に、ネットワークを介してサーバに蓄積されている最新情報データをダウンロードして、再生停止時に、ダウンロードされた最新情報データを画面に表示することができる。
【発明の効果】
【０００５】
請求項１記載の発明に係るディスク再生装置によれば、所定日数経過する毎に、ネットワークを介してサーバに蓄積されている最新情報をダウンロードし、ダウンロードされた最新情報を記憶して、再生停止時に、予め設定されたメッセージを所定時間表示し、情報データの表示時間が所定時間経過する毎に、記憶されている情報データを順次切り替えて画面に表示し、メッセージの表示と記憶されている情報データの表示とを繰り返すようにしているので、所定日数経過する毎に、ネットワークを介してサーバに蓄積されている最新情報データをダウンロードして、再生停止時に、ダウンロードされた最新情報データを画面に表示することができる。また、上方向スクロールが指令されたとき、画面に表示された情報データを画面の上方向にスクロールし、下方向スクロールが指令されたとき、画面に表示された情報データを画面の下方向にスクロールするようにしているので、一画面に表示することができない情報データをスクロールして見ることができ、画面に表示された情報データをスクロールした後、スクロールされた情報データの前の部分を見ることができる。また、次の情報データの表示が指令されたとき、画面に表示された情報データが記憶されている最終情報データでない場合、次の情報データを画面に表示し、画面に表示された情報データが記憶されている最終情報データである場合、予め設定されたメッセージを画面に表示し、前の情報データの表示が指令されたとき、記憶されている前の画面に表示された情報データを画面に表示するようにしているので、画面に表示された情報データをスキップして、次の情報データを見ることができ、前の画面に表示された情報データを再度見ることができる。
請求項２記載の発明に係るディスク再生装置によれば、所定日数経過する毎に、ネットワークを介してサーバに蓄積されている最新情報をダウンロードし、ダウンロードされた最新情報を記憶して、再生停止時に、予め設定されたメッセージを所定時間表示し、情報データの表示時間が所定時間経過する毎に、記憶されている情報データを順次切り替えて画面に表示し、メッセージの表示と記憶されている情報データの表示とを繰り返すようにしているので、所定日数経過する毎に、ネットワークを介してサーバに蓄積されている最新情報データをダウンロードして、再生停止時に、ダウンロードされた最新情報データを画面に表示することができる。
請求項３記載の発明に係るディスク再生装置によれば、上方向スクロールが指令されたとき、画面に表示された情報データを画面の上方向にスクロールするようにしているので、一画面に表示することができない情報データをスクロールして見ることができる。
請求項４記載の発明に係るディスク再生装置によれば、下方向スクロールが指令されたとき、画面に表示された情報データを画面の下方向にスクロールするようにしているので、画面に表示された情報データをスクロールした後、スクロールされた情報データの前の部分を見ることができる。
請求項５記載の発明に係るディスク再生装置によれば、次の情報データの表示が指令されたとき、画面に表示された情報データが記憶されている最終情報データでない場合、記憶されている次の情報データを画面に表示し、画面に表示された情報データが記憶されている最終情報データである場合、予め設定されたメッセージを画面に表示するようにしているので、画面に表示された情報データをスキップして、次の情報データを見ることができる。
請求項６記載の発明に係るディスク再生装置によれば、前の情報データの表示が指令されたとき、記憶されている前の画面に表示された情報データを画面に表示するようにしているので、前の画面に表示された情報データを再度見ることができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の情報データの取得動作を示すフローチャートであり、図４は本発明の一実施例のディスク再生装置の情報データの表示動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声データを再生する信号処理回路８と、文字データを映像信号に重畳して文字データをモニタ装置３０の画面に表示するＯＳＤ（Ｏｎ−Ｓｃｒｅｅｎ  Ｃｈａｒａｃｔｅｒ  Ｄｉｓｐｌａｙ）回路９と、ネットワーク４０を介してサーバ５０に接続するモデム１０と、ディスク再生装置１のシステム全体を制御するマイコン１１と、情報データを記憶する不揮発性メモリのフラッシュＲＯＭ１２と、日付と時刻とを管理し、時間を計時する時計回路１３と、リモコン装置２０から送信された赤外線信号のリモコン信号を受信して、所定の電気信号に変換するリモコン受信部１４とで構成されている。
また、ディスク再生装置１のリモコン装置には、図２に示すように、ディスク再生装置１の各種設定値を設定するメニュ画面の表示を指令するメニュキー２０ａ、画面に表示された選択項目を選択するとともに、画面に表示された情報データのスクロールと次の情報データ／前の情報データの表示とを指令するカーソルキー２０ｂ、カーソルキーにより選択された選択項目の選択を決定する決定キー２０ｃ、光ディスクの再生の停止と情報データの表示の停止とを指令する停止キー２０ｄ等の複数の操作キーが設けられていて、それらの操作キーを操作することによりディスク再生装置１を所望動作させることができるようになっている。なお、カーソルキー２０ｂは、上矢印キー、下矢印キー、左矢印キー、右矢印キーの４つの操作キーで構成されている。
以上のように構成されたディスク再生装置について、以下その動作について説明する。
時計回路１３から送出される日付データが所定日数、例えば、１週間経過する毎に、マイコン１１は、モデム１０によりネットワーク４０を介して政府の公式サイトのサーバ５０に接続し、サーバ５０に蓄積されている少子化問題に関する最新情報を検索して、サーバ５０に最新情報が蓄積されている場合、サーバ５０から少子化問題に関する最新情報をダウンロードして、ダウンロードされた少子化問題に関する最新情報をフラッシュＲＯＭ１２に記憶する。また、サーバ５０に他の少子化問題に関する最新情報が蓄積されている場合、マイコン１１は、サーバ５０から他の少子化問題に関する最新情報を順次ダウンロードして、ダウンロードされた他の少子化問題に関する最新情報をフラッシュＲＯＭ１２に記憶する。
光ディスク２の再生が停止すると、マイコン１１は、ＯＳＤ回路９を制御して、時計回路１３から送出される時刻データに基づき、少子化問題について予め設定されたメッセージをモニタ装置３０の画面に所定時間、例えば、３０秒間表示する。そして、フラッシュＲＯＭ１２に記憶されている少子化問題に関する最初の情報データを読み出し、ＯＳＤ回路９を制御して、フラッシュＲＯＭ１２に記憶されている少子化問題に関する最初の情報データをモニタ装置３０の画面に表示する。
リモコン装置２０のカーソルキー２０ｂの下矢印キーが押下され、画面に表示された情報データの上方向スクロールが指令された場合、マイコン１１は、ＯＳＤ回路９を制御して、モニタ装置３０の画面に表示された情報データを画面の上方向にスクロールする。また、リモコン装置２０のカーソルキー２０ｂの上矢印キーが押下され、画面に表示された情報データの下方向スクロールが指令された場合、マイコン１１は、ＯＳＤ回路９を制御して、モニタ装置３０の画面に表示された情報データを画面の下方向にスクロールする。
リモコン装置２０のカーソルキー２０ｂの右矢印キーが押下され、次の情報データの表示が指令された場合、マイコン１１は、モニタ装置３０の画面に表示された情報データがフラッシュＲＯＭ１２に記憶されている最終情報データであるか否かを判別して、画面に表示された情報データがフラッシュＲＯＭ１２に記憶されている最終情報データでない場合、フラッシュＲＯＭ１２に記憶されている少子化問題に関する次の情報データを読み出し、ＯＳＤ回路９を制御して、少子化問題に関する次の情報データをモニタ装置３０の画面に表示する。また、画面に表示された情報データがフラッシュＲＯＭ１２に記憶されている最終情報データである場合、マイコン１１は、ＯＳＤ回路９を制御して、少子化問題について予め設定されたメッセージをモニタ装置３０の画面に所定時間表示した後、フラッシュＲＯＭ１２に記憶されている少子化問題に関する最初の情報データを読み出し、ＯＳＤ回路９を制御して、少子化問題に関する最初の情報データをモニタ装置３０の画面に表示する。また、リモコン装置２０のカーソルキー２０ｂの左矢印キーが押下され、前の情報データの表示が指令された場合、フラッシュＲＯＭ１２に記憶されている前の画面に表示された情報データを読み出し、ＯＳＤ回路９を制御して、前の画面に表示された少子化問題に関する情報データをモニタ装置３０の画面に表示する。
時計回路１３から送出される時刻データに基づいてモニタ装置３０の画面に表示された情報データの表示時間が所定時間、例えば、３０秒経過すると、マイコン１１は、モニタ装置３０の画面に表示された情報データがフラッシュＲＯＭ１２に記憶されている最終情報データであるか否かを判別して、モニタ装置３０の画面に表示された情報データがフラッシュＲＯＭ１２に記憶されている最終情報データでない場合、フラッシュＲＯＭ１２に記憶されている少子化問題に関する次の情報データを読み出し、ＯＳＤ回路９を制御して、少子化問題に関する次の情報データをモニタ装置３０の画面に表示する。そして、情報データの表示時間が所定時間経過する毎に、マイコン１１は、フラッシュＲＯＭ１２に記憶されている情報データが最終情報データになるまで、フラッシュＲＯＭ１２に記憶されている少子化問題に関する情報データを読み出し、ＯＳＤ回路９を制御して、少子化問題に関する情報データを順次切り替えてモニタ装置３０の画面に表示する。
画面に表示された情報データがフラッシュＲＯＭ１２に記憶されている最終情報データになると、マイコン１１は、ＯＳＤ回路９を制御して、少子化問題について予め設定されたメッセージをモニタ装置３０の画面に所定時間表示した後、フラッシュＲＯＭ１２に記憶されている少子化問題に関する最初の情報データの表示から繰り返す。なお、情報データがモニタ装置３０の画面に表示されているとき、リモコン装置２０の停止キー２０ｄが押下されると、情報データの表示が停止されるようになっている。
また、図３の本発明の一実施例のディスク再生装置の情報データの取得動作を示すフローチャートを基に説明する。
所定日数経過する毎に、ステップＳ１からステップＳ２に進み、ステップＳ２で、ネットワークを介してサーバに接続され、サーバに蓄積されている少子化問題に関する最新情報が検索されて、ステップＳ３に進む。
ステップＳ３で、サーバに少子化問題に関する最新情報が蓄積されているか否かが判断され、サーバに最新情報が蓄積されている場合、ステップＳ４に進み、サーバに最新情報が蓄積されていない場合、ステップＳ６に進んで処理を終了する。
ステップＳ４で、サーバから少子化問題に関する最新情報がダウンロードされて、ダウンロードされた最新情報がフラッシュＲＯＭに記憶され、ステップＳ５に進む。
ステップＳ５で、サーバに他の少子化問題に関する最新情報が蓄積されているか否かが判断され、サーバに他の最新情報が蓄積されている場合、ステップＳ４に戻って、ステップＳ４からのステップを繰り返し、サーバに他の最新情報が蓄積されていない場合、ステップＳ６に進んで処理を終了する。
また、図４の本発明の一実施例のディスク再生装置の情報データの表示動作を示すフローチャートを基に説明する。
光ディスクの再生が停止すると、ステップＳ１１からステップＳ１２に進み、ステップＳ１２で、少子化問題について予め設定されたメッセージが画面に表示されて、ステップＳ１３に進む。
ステップＳ１３で、画面に表示されたメッセージの表示時間が所定時間経過したか否かが判断され、メッセージの表示時間が所定時間経過した場合、ステップＳ１４に進み、メッセージの表示時間が所定時間経過していない場合、ステップＳ１２に戻って、ステップＳ１２からのステップを繰り返す。
ステップＳ１４で、フラッシュＲＯＭに記憶されている少子化問題に関する最初の情報データが画面に表示されて、ステップＳ１５に進む。
ステップＳ１５で、リモコン装置のカーソルキーの下矢印キーが押下されたか否かが判断され、カーソルキーの下矢印キーが押下された場合、ステップＳ１６に進み、カーソルキーの下矢印キーが押下されていない場合、ステップＳ１７に進む。
ステップＳ１６で、画面に表示された情報データが画面の上方向にスクロールされて、ステップＳ１７に進む。
ステップＳ１７で、リモコン装置のカーソルキーの上矢印キーが押下されたか否かが判断され、カーソルキーの上矢印キーが押下された場合、ステップＳ１８に進み、カーソルキーの上矢印キーが押下されていない場合、ステップＳ１９に進む。
ステップＳ１８で、画面に表示された情報データが画面の下方向にスクロールされて、ステップＳ１９に進む。
ステップＳ１９で、リモコン装置のカーソルキーの右矢印キーが押下されたか否かが判断され、カーソルキーの右矢印キーが押下された場合、ステップＳ２０に進み、カーソルキーの右矢印キーが押下されていない場合、ステップＳ２２に進む。
ステップＳ２０で、画面に表示された情報データがフラッシュＲＯＭに記憶されている最終情報データであるか否かが判断され、画面に表示された情報データがフラッシュＲＯＭに記憶されている最終情報データである場合、ステップＳ１２に戻って、ステップＳ１２からのステップを繰り返し、画面に表示された情報データがフラッシュＲＯＭに記憶されている最終情報データでない場合、ステップＳ２１に進む。
ステップＳ２１で、フラッシュＲＯＭに記憶されている少子化問題に関する次の情報データが画面に表示されて、ステップＳ２２に進む。
ステップＳ２２で、リモコン装置のカーソルキーの左矢印キーが押下されたか否かが判断され、カーソルキーの左矢印キーが押下された場合、ステップＳ２３に進み、カーソルキーの左矢印キーが押下されていない場合、ステップＳ２４に進む。
ステップＳ２３で、フラッシュＲＯＭに記憶されている前の画面に表示された少子化問題に関する情報データが画面に表示されて、ステップＳ２４に進む。
ステップＳ２４で、画面に表示された情報データの表示時間が所定時間経過したか否かが判断され、情報データの表示時間が所定時間経過した場合、ステップＳ２５に進み、情報データの表示時間が所定時間経過していない場合、ステップＳ１５に戻って、ステップＳ１５からのステップを繰り返す。
ステップＳ２５で、画面に表示された情報データがフラッシュＲＯＭに記憶されている最終情報データであるか否かが判断され、画面に表示された情報データがフラッシュＲＯＭに記憶されている最終情報データである場合、ステップＳ１２に戻って、ステップＳ１２からのステップを繰り返し、画面に表示された情報データがフラッシュＲＯＭに記憶されている最終情報データでない場合、ステップＳ２６に進む。
ステップＳ２６で、フラッシュＲＯＭに記憶されている少子化問題に関する次の情報データが画面に表示されて、ステップＳ２７に進む。
ステップＳ２７で、リモコン装置の停止キーが押下されたか否かが判断され、停止キーが押下された場合、ステップＳ２８に進み、停止キーが押下されていない場合、ステップＳ１５に戻って、ステップＳ１５からのステップを繰り返す。
ステップＳ２８で、情報データの表示が停止されて、ステップＳ２９に進んで処理を終了する。
以上、本発明を実施するための最良の形態について詳述したが、本発明はこれに限定されるものではなく、当業者の通常の知識の範囲内でその変形や改良が可能であることはいうまでもない。例えば、ネットワークを介して少子化問題に関する情報データをダウンロードしてフラッシュＲＯＭに記憶し、光ディスクの再生が停止しているとき、フラッシュＲＯＭに記憶されている少子化問題に関する情報データを画面に表示することについて説明したが、ネットワークを介して他の情報データをダウンロードしてフラッシュＲＯＭに記憶し、他の情報データを表示するようにしてもよい。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の情報データの取得動作を示すフローチャートである。
【図４】本発明の一実施例のディスク再生装置の情報データの表示動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  モデム
１１  マイコン
１２  フラッシュＲＯＭ
１３  リモコン受信部
２０  リモコン装置
３０  モニタ装置
４０  ネットワーク
５０  サーバ
【図１】
2007179619.tif 000003
【図２】
2007179619.tif 000004
【図３】
2007179619.tif 000005
【図４】
2007179619.tif 000006